(57)【特許請求の範囲】
【請求項１】
高通水・即乾性を有する内側シートと、高吸水性を有する保水シートと、防水加工を施した外側シートとを積層し、内側シート、保水シート及び外側シートを、周縁部を縫着して一体化した失禁用おしめにおいて、
前記保水シートは、不織布及びニットを積層して成り、前記不織布を荷重で陥没変形しない硬質のものとすると共に、内側シート側に位置させたことを特徴とする失禁用おしめ。
【請求項２】
内側シートを、吸着剤及び光触媒を含有させた繊維で形成したことを特徴とする請求項１記載の失禁用おしめ。
【請求項３】
内側シートの両側端部にギャザーを形成したことを特徴とする請求項１又は２記載の失禁用おしめ。
【請求項４】
外側シートに撥水加工を施したこと特徴とする請求項１、２又は３記載の失禁用おしめ。
【発明の詳細な説明】
【０００１】
【発明の属する技術分野】
本発明は、高齢者や成人患者等の要介助者が使用する失禁用おしめに関する。
【０００２】
【従来の技術】
従来、おしめは幼児用が主流であったが、社会の高齢化に伴って、日常生活に支障のある高齢者や成人患者等の要介助者が使用する失禁用おしめの需要が増加しつつある。
失禁用おしめとしては、幼児用と同様に、周縁部を相互に結合した防水性外面シートと紙製の通水性内面シートの間に高吸水性樹脂を内包した使い捨てのものが広く利用されている。
しかし、要介助者がおしめを必要とする期間は長期に渡るケースが多く、おしめに要する費用が嵩むため、使い捨ての失禁用おしめは不経済であった。
一方、重ね合わせた複数枚の布地を縫着して一体化した布製の失禁用おしめは、洗濯することで再使用可能であるが、使い心地に関しては、失禁後の布地表面（肌接触面）が湿潤して不快感を誘発するばかりでなく、排泄した尿と肌が長時間接することで、肌の炎症や、床ずれを誘発したり、臭気が漏れる等の解決しなければならない課題があった。
【０００３】
【発明が解決しようとする課題】
本発明は、洗濯再使用が可能なおしめであって、肌の炎症、床ずれ、臭気漏れ等を防止して使い心地の向上を図る様にした失禁用おしめを提供する。
【０００４】
【課題を解決するための手段】
本発明は、上記の課題に鑑み、高通水・即乾性を有する内側シートと、高吸水性を有する保水シートと、防水加工を施した外側シートとを積層し、内側シート、保水シート及び外側シートを、周縁部を縫着して一体化した失禁用おしめにおいて、前記保水シートは、不織布及びニットを積層して成り、前記不織布を荷重で陥没変形しない硬質のものとすると共に、内側シート側に位置させることによって、排泄された尿を直ちに内側シートから保水シート側に浸透移動させ、肌に接触する内側シートを殆ど乾いた状態にして、爽やかな使用感を確保すると共に、肌の炎症等を防止する様にして、上記課題を解決する。
【０００５】
【発明の実施の形態】
以下本発明の一実施例を図面に基づいて説明する。
図１及び２は本発明に係る失禁用おしめを示す図であり、図１は展開状態の失禁用おしめの平面図、図２は図１のＡーＡ断面要部拡大図である。
本発明に係る失禁用おしめ１は、図１に示す様に、全体形状を平面視略逆ひょうたん型に形成しており、一端に位置する大寸法部分を要介助者の臀部に当てがう後身頃２とし、該後身頃２に連続するくびれ部３を股間に当てがう部分とし、くびれ部３に連続し他端に位置する小寸法部分を前身頃４としている。
【０００６】
以下、本発明について更に詳細に説明する。
失禁用おしめ１は、図１及び２に示す様に、高通水・即乾性を有する内側シート５と、高吸水性を有する保水シート６と、防水加工を施した外側シート７とを積層し、内側シート５、保水シート６及び外側シート７の周縁部に縁取りカバー９を被せ、該縁取りカバー９と共に、周縁部を縫着して一体化している。
【０００７】
内側シート５は、吸着剤及び光触媒を含有させた繊維で形成したものが望ましく、吸着剤は、臭いの原因となる化学成分を化学吸着することで消臭するものであり、又光触媒は、太陽や蛍光灯が放射する紫外線を受けることによって、吸着剤に吸着した臭気成分を酸化還元反応で分解するものである。
内側シート５が有する高通水・即乾性とは、綿布等の通常の布地に比して極めて短時間で水を通過させ、それ自体に殆ど水を保持せず、速やかに乾燥する性質であり、この性質によって、内側シート５に滲み込んだ尿は直ちに通過して保水シート６に吸収されるため、内側シート５は常に殆ど乾いた状態に保たれる。
【０００８】
保水シート６が有する高吸水性とは、紙製おしめに使用されている高吸収性樹脂の様に、自己の重量に比して極めて大量の水を吸収する性質である。
保水シート６の素材としては、不織布やニット（例えば、綿編物。）が挙げられ、両方を組合わせて用いる。
又、不織布は、軟質の不織布（厚さ方向に荷重を加えると、比較的大きく陥没変形するもの。）より、加圧成型等の方法で緻密に形成した硬質の不織布（厚み方向に荷重を加えても、殆ど陥没変形しないもの。）が望ましく、硬質の不織布を用いた場合、失禁用おしめ１を繰り返し洗濯しても、保水シート６の損傷、収縮が少なく耐久性が高い。
組合わせ方としては、例えば図２に示す様に、硬質不織布製の保水シート6aと、ニット製の保水シート6bとを交互に積層して保水シート６とするのが良く、積層状態としては、硬質不織布製の保水シート6aを内側シート５側に位置させるのが望ましい。
尚、両保水シート6a、6bの積層枚数については、何ら限定されない。
【０００９】
更に、図３に示す様に、内側シート５の表面側の両側端部に横漏れ防止用のギャザー14、14a を形成したり、防水性の外側シート７に換えて撥水加工を施した外側シート７を用いても良い。
尚、ギャザー14、14a の有無と、外側シート７の種類の組合せは特に限定されず、例えば撥水性の外側シート７を用いると共に、ギャザー14、14a を設けても良く、又ギャザー14、14a を設けずに、外側シート７を撥水性のものにしても良い。
【００１０】
次に本発明の失禁用おしめの作用について説明する。
要介助者が排泄した尿は、失禁用おしめ１の内側シート５が高通水・即乾性を有するため、直ちに内側シート５を通過し保水シート６に吸収され、内側シート５は常時殆ど乾いた状態に保たれる。
【００１１】
保水シート６に吸収保持された尿は臭気成分を放散するが、内側シート５、保水シート６及び外側シート７の周縁部を相互に縫着したことにより、保水シート６は内側シート５と外側シート７で包囲され、外側シート７が防水性を有するため、尿及びその臭気成分は失禁用おしめ１の外面側に漏れず、又内側シート５を通過する臭気成分は内側シート５の吸着剤で吸着されるため、失禁用おしめ１の外部に臭気が漏出しない。
【００１２】
更に、使用後の失禁用おしめ１を洗濯し、太陽や蛍光灯の光を当てれば、内側シート５の吸着剤に吸着されている臭気成分は、光触媒によって酸化又は還元されて分解する。
【００１３】
硬質不織布製の保水シート6aと、ニット製の保水シート6bとを積層し、硬質不織布製の保水シート6aを内側シート５側に位置させて保水シート６としたため、内側シート５を通過した尿は、先ず硬質不織布製の保水シート6aに吸収され、保水シート6aを通過した尿は、ニット製の保水シート6bに吸収される。
ところで、ニット製の保水シート6bは、要介助者の臀部重量を受け、部分的に圧縮されて幾分陥没変形しているが、要介助者が寝返りをうつと、保水シート6bの陥没変形箇所は当然変位する。
この時、寝返り後に陥没変形した箇所で保水シート6bが圧縮されることによって、この箇所に吸収されていた尿の一部は保水シート6b内で移動し、又一部は保水シート6b外へ押し出される。
しかし、硬質不織布製の保水シート6aは、荷重を受けても殆ど陥没変形しないため、荷重を受けた状態でも吸水性が全く阻害されず、ニット製の保水シート6bから押し出された尿は、保水シート6bの直上に位置する保水シート6aで直ちに吸収される。
従って、失禁後に要介助者が寝返りして、ニット製の保水シート6bの陥没変形箇所が変位しても、一旦保水シート６に吸収された尿は内側シート５側に逆流しない。
【００１４】
【発明の効果】
要するに本発明は、高通水・即乾性を有する内側シートと、高吸水性を有する保水シートと、防水加工を施した外側シートとを積層し、内側シート、保水シート及び外側シートを、周縁部を縫着して一体化した失禁用おしめにおいて、前記保水シートは、不織布及びニットを積層して成り、前記不織布を荷重で陥没変形しない硬質のものとすると共に、内側シート側に位置させたので、不織布及びニットは、繊維間に多くの空隙を有し吸水性に優れているため、保水シート６の尿吸収許容量を多くすることが出来、又失禁後に要介助者が寝返りして、ニット製の保水シート6bが変形しても、保水シート6bから押し出された尿は殆ど陥没変形しない保水シート6aに吸収され、尿が内側シート５側へ逆流するのを防止することが出来る。
従って、排泄された尿は直ちに内側シート５から保水シート６に浸透移動し、内側シート５を殆ど乾いた状態に維持できるため、不快感や肌の炎症の発生を防ぎ、爽やかな使用感を提供することが出来る。
又、硬質不織布製の保水シート6aは硬く丈夫で、ニット製の保水シート6bは柔らかであるから、保水シート6a、6bの両特性が相俟って、保水シート６全体の耐久性を高く出来、而もソフトな装着感を得ることが出来る。
そして、内側シート５、保水シート６及び外側シート７を、周縁部を縫着して一体化したことによって、保水シート６側に浸透移動した尿を内側シート５と外側シート７で包囲し、失禁用おしめ１の外部に尿の臭気を漏出させずに頗る快適な使用感を得ることが出来る。
【００１５】
内側シート５を、吸着剤及び光触媒を含有させた繊維で形成したので、内側シート５の吸着剤で尿の臭気成分を吸着することにより、上記の臭気漏出防止効果を一層高くでき、更に使用後の失禁用おしめ１を洗濯して太陽光等に当てれば、内側シート５の光触媒で内側シート５の吸着剤に吸着されている臭気成分が分解され、吸着剤の吸着力が回復するため、失禁用おしめ１を何度繰り返し使用しても、内側シート５の消臭力は低下しない。
【００１６】
要介助者が一度に大量の尿を排泄した場合、一部の尿は内側シート５の通過前に、内側シート５の表面を伝って両側端部側に流れてしまうが、内側シート５の両側端部にギャザー14、14a を形成したので、両側端部側に流れた尿をギャザー14、14a で堰き止め、内側シート５を通過させて保水シート６に吸収させ、横漏れを防止することが出来る。
【００１７】
要介助者の排泄量が失禁用おしめ１の尿吸収許容量を超過した場合、外側シート７の上に溜まった尿が内側シート５に逆流し、内側シート５が湿潤してしまう虞れがあるが、外側シート７に撥水加工を施したので、外側シート７の撥水作用で失禁用おしめ１の側方から外部に余剰の尿を排出することが出来、要介助者の下に吸水性を有するシーツを敷いておけば、失禁用おしめ１の外部に排出した尿をシーツに吸収させて、内側シート５に尿が逆流するのを防止し、内側シート５の爽やかな使用感を確保することが出来る等その実用的効果甚だ大である。
【図面の簡単な説明】
【図１】 本発明に係る失禁用おしめの平面図である。
【図２】 図１のＡーＡ断要部拡大断面図である。
【図３】 両側端部にギャザーを形成した失禁用おしめの平面図である。
【符号の説明】
１          失禁用おしめ
５          内側シート
６          保水シート
７          外側シート
14、14a     ギャザー
【図１】
0003777396.tif 000002
【図２】
0003777396.tif 000003
【図３】
0003777396.tif 000004